(57)【特許請求の範囲】
【請求項１】
遊技盤の略中央に設けられた表示装置の周囲を囲い得るようにセンター枠部材が枠状に形成され、該センター枠部材の外側両側辺に該センター枠部材の外側の遊技盤の遊技領域を流下する遊技球が該センター枠部材の両側辺よりも内側の遊技領域へ導かれ前記表示装置の下側に位置する遊技領域に誘導されるように球誘導部材をその路面が内向き傾斜状となるように設けたパチンコ遊技機のセンター役物装置であって、球誘導部材はその取付面に形成した位置決用突起とセンター枠部材に形成した複数の位置決用係合孔との組み合わせにより路面の傾斜角度が調整可能にセンター枠部材に取り付けられるようにしたことを特徴とするパチンコ遊技機のセンター役物装置。
【請求項２】
センター枠部材に球誘導部材の設定状態を隠蔽する表装板を設けたことを特徴とする請求項１に記載のパチンコ遊技機のセンター役物装置。
【発明の詳細な説明】
【技術分野】
【０００１】
この発明は、遊技盤の略中央に液晶等の大型の表示装置が設けられたパチンコ遊技機において、その表示装置の周囲を囲うように設けられるセンター役物装置の構造に関するものである。
【背景技術】
【０００２】
近年のパチンコ遊技機は、迫力のある演出が必要であるという観点から遊技盤中央に８インチ乃至１０インチ以上の大型の液晶表示装置が配置される傾向にある。そしてこのように表示装置が大型化するに伴い、その表示装置を囲うセンター枠部材も大型化している。このため遊技球が流下し得る遊技盤の遊技領域が相対的に小さく制限されるようになり、遊技球にダイナミックな動きをさせて、遊技者はその遊技球の動きを見て楽しむというパチンコ本来の醍醐味が損なわれるという問題があった。
こうしたなかで、遊技盤上のセンター枠部材の両側領域に風車釘（風車様の回転体が遊技盤面に釘によって回転自在に止着されたもの）を設け、該風車釘によって内側に弾き飛ばされた遊技球が表示装置の下側に導かれるようにし、該表示装置の下側が遊技領域として有効活用されるようにしたパチンコ遊技機が知られている。
ところで、上記のような盤面構成では、遊技球の流れを釘のみで調整することが次第に困難になっている。また、風車釘に当たった遊技球はスピンが掛かっているために、球誘導部材に当たっても該球誘導部材の傾斜上端縁からこぼれ落ちてセンター枠部材外に出て行ってしまうことが多く、このために表示装置の下側の遊技領域を有効に活用できていないという問題があった。
【０００３】
また、下記特許文献１に示されたパチンコ機における役物は、遊技球の庇状通路に溝を形成することにより遊技球の速度が抑制されるようにしたものであり、下記特許文献２および３に示されたパチンコ遊技機は、センター役物の通路中に球減速手段を設けることにより球を入賞口に入賞し易くするものであった。
【特許文献１】特開２００２−２３９１０４号公報
【特許文献２】特開２００３−１３５７１３号公報
【特許文献３】特開平１０−２１１３２３号公報
【発明の開示】
【発明が解決しようとする課題】
【０００４】
ところで従来の上記パチンコ遊技機は、釘師と呼ばれる職人が遊技盤上の釘を操作することにより遊技球の流れを調整するものであったので、入賞確率をコントロールすることは容易でなかった。
【課題を解決するための手段】
【０００５】
上記課題を解決するために請求項１に記載した発明は、遊技盤の略中央に設けられた表示装置の周囲を囲い得るようにセンター枠部材が枠状に形成され、該センター枠部材の外側両側辺に該センター枠部材の外側の遊技盤の遊技領域を流下する遊技球が該センター枠部材の両側辺よりも内側の遊技領域へ導かれ前記表示装置の下側に位置する遊技領域に誘導されるように球誘導部材をその路面が内向き傾斜状となるように設けたパチンコ遊技機のセンター役物装置であって、球誘導部材はその取付面に形成した位置決用突起とセンター枠部材に形成した複数の位置決用係合孔との組み合わせにより路面の傾斜角度が調整可能にセンター枠部材に取り付けられるようにしたことを特徴とする。
また、請求項２に記載した発明は、上記パチンコ遊技機のセンター役物装置において、センター枠部材に球誘導部材の設定状態を隠蔽する表装板を設けたことを特徴とする。
【発明の効果】
【０００６】
請求項１に記載した発明によれば、球誘導部材の路面の傾斜角度を容易に設定でき、遊技球の流れを容易に調整できるようになる。
請求項２に記載した発明によれば、球誘導部材の路面の傾斜角度を遊技者から見え難くするので遊技者が遊技機を選択するにあたってこの設定状態が障害になるおそれがない。
【実施例１】
【０００７】
図１はこの発明に係るパチンコ遊技機の正面図である。図中、１は前面枠、２は該前面枠に装着された透明板ガラス内に配置された遊技盤、３は該前面枠の下部前面に突設された遊技球供給皿、４は打球発射ハンドルである。
【０００８】
５は遊技盤２面の中央に設けられた大型の液晶表示装置、６はこの表示装置の周囲を囲み得るように枠状に形成された樹脂製のセンター枠部材、７は該センター枠部材の下部領域遊技盤２面に設けられた始動入賞口、８は該始動入賞口の下部に設けられたソレノイド開閉扉式大入賞口、９はさらにその下部に設けられたアウト球排出口、１０ａ，１０ｂは遊技盤２の両側縁下部寄りに設けられ内部に電飾用の多数の発光ダイオードが装設された樹脂製の装飾部材である。なお、装飾部材１０ａ，１０ｂには「小判」を模した装飾体１１や、装飾文字１２が表面に凹凸状に形成されている。また、１３ａ，１３ｂは遊技盤２上の遊技球が流下するセンター枠部材６の両側の遊技領域に設けられた周知構造の風車釘である。１４はセンター枠部材６の上辺部の内側で液晶表示装置５の上部に配置された装飾体で、該装飾体は時代劇として広く知られている「水戸黄門」を表題とする凹凸状に形成された装飾文字１４ａや家紋の形象１４ｂ等からなる。また１５ａ，１５ｂはセンター枠部材６の両側辺に該センター枠部材６の両側遊技領域を流下する遊技球が流入し得るように斜め上方に突出する筒状に形成されたワープ通路入口、１６はセンター枠部材６の下辺部の内側で液晶表示装置５の下部に配置されたセンターステージで、該センターステージは欄干のような仕切により前後に階段状に区画された舞台通路１７ａ〜１７ｃが形成され、ワープ通路入口１５ａ，１５ｂより流入した遊技球がそのワープ通路を通って最奥部の舞台通路１７ｃに開放されるように構成されている。そして、該遊技球は舞台通路１７ａ〜１７ｃ上を自重によって順に前方に転動し、該センター枠部材６の下辺部中央に切欠状に形成された流出口１８または該下辺部中央に開設された流出口１９から遊技盤面に放出され、その直下に位置する始動入賞口７に入賞し易いように構成されている。
【０００９】
一方、図２は前記センター枠部材６の単体の正面図、図３はその側面図、図４は図２のＡ−Ａ線断面矢視図、図５は図４のＢ−Ｂ線断面矢視図である。同図に示されるように、センター枠部材６は略円形枠状で、その周壁２０の外面に取付板２１がフランジ状に一体に形成されている。なお、２２は該センター枠部材６に複数本が放射状に固着されたスティック状の透明プラスチック材からなる光輝部材で、該各光輝部材は該センター枠部材６の取付板２１と略面一となるように適宜間隔で象嵌のように基部が埋設状に固着され、該各光輝部材の基端部には発光ダイオード（図示せず）が設けられ、該発光ダイオードが点灯すると該各光輝部材が輝くように構成されている。２３は取付板２１を遊技盤２面にビス等により止着するための止孔、２４は光輝部材２２の先端部をビス等により遊技盤２面に止着するための止孔である。
【００１０】
また、３０ａ，３０ｂは表面に凹凸状に装飾用の「小判」が形成された表装板で、該表装板は図６の分解斜視図にも示されるように、センター枠部材６の下部両側にそれぞれ設けられる。３１ａ，３１ｂは該表装板の裏側に隠されるようにセンター枠部材６に取り付けられた略三角ブロック形の球誘導部材で、該球誘導部材は該センター枠部材の両側の遊技盤の遊技領域を流下する遊技球が該センター枠部材の内方に導かれるように上側縁の路面３２が内向き傾斜状なるように設けられる。また、３３ａ，３３ｂは該球誘導部材の路面３２の下端開放部と相対するセンター枠部材の下辺部に設けられた風車部材で、該風車部材は表装板３０ａ，３０ｂによって略上半部が隠されるようにセンター枠部材６に取り付けられる。また、表装板３０ａ，３０ｂの裏側に支柱３５ａ，３５ｂが一体に形成され、該支柱３５ａ，３５ｂをセンター枠部材６の裏側から差し込んだビス（図示せず）により止着することにより該表装板３０ａ，３０ｂはセンター枠部材６の表面から離間して取り付けられるようにしている。なお、３４は表装板３０ａ，３０ｂに形成された多数の小さな透孔で、該透孔を通してその裏側を通過する遊技球を遊技者が透視可能になるようにしている。また、球誘導部材３１ａ，３１ｂには貫通孔３６が形成されていると共に位置決用突起３７がその取付面側に突出するよう形成されている。そして、センター枠部材６の表面にビス３８を螺合し得るネジ孔３９を形成し、その近傍に位置決用突起３７が係合し得る４つの位置決用係合孔４０ａ〜４０ｄを連接状に形成し、該位置決用突起３７を該各係合孔のいずれかに係合させてビス３８を螺締めすることにより、図５に示したように、該球誘導部材の路面３２の内向き傾斜角度αが５°，１０°，１５°，２０°の４種類のうちのいずれかに設定できるようにしている。
【００１１】
また、球誘導部材３１ａ，３１ｂの路面３２の傾斜上端縁に幅方向に亘る球こぼれ防止用の突堤４１が形成されている。これにより路面３２上に乗った遊技球がこぼれ難いようにしている。なお、該突堤４１は、図７に例示したように外側をテーパー状に形成した形状や、図８に例示したように内側をテーパー状に形成した形状に成形できる。
【００１２】
また、球誘導部材３１ａ，３１ｂが装着されている部位に相当する前記取付板２１の外縁部に、図４，図５に示されるように、窪部５０を形成し、該窪部に収まるように緩衝部材５１ａ，５１ｂを接着固定し、該緩衝部材５１ａ，５１ｂを前記風車釘１３ａ，１３ｂと相対向させる。この緩衝部材５１ａ，５１ｂは動的粘弾性を有する熱可塑性エラストマー素材を用いることにより衝撃吸収性が優れたものとなるが、ゴム、その他の衝撃吸収性素材を使用することもできる。このため、風車釘１３ａ，１３ｂに当たって加速された遊技球がこの緩衝部材に衝突しその運動エネルギーを吸収し、該遊技球を減速させるのでその挙動が見易くなる。
【００１３】
また、球誘導部材３１ａ，３１ｂの路面３２の傾斜上端縁に幅方向に亘る球こぼれ防止用の突堤４１を形成したことから、該路面上に乗った遊技球は多少のスピンが掛かっていても外方にこぼれ落ちることなく、表示装置５下側の遊技領域に確実に誘導され、遊技球が始動入賞口７に入賞する過程の挙動を見て楽しめる状況が作り出される。
【００１４】
また、球誘導部材３１ａ，３１ｂの路面３２の傾斜角度αを任意に設定できるようにしたことから、その路面３２上に乗った遊技球の速度をこれによってパチンコ遊技機ごとに適宜調整することができ、釘調整に依らずとも始動入賞口７等への入賞の確率をコントロールすることができる。しかもこの球誘導部材３１ａ，３１ｂは表装板３０ａ，３０ｂによって隠れるように設けられ、遊技者からその設定状態を見ることが難しいようにすることができるので、遊技者が遊技機を選択するにあたってこの設定状態が障害となるおそれがない。なお、両球誘導部材３１ａ，３１ｂは同じ傾斜角度に設定しなくても、左右の球誘導部材で傾斜角度が異なるように設定することも可能である。例えば、左側の球誘導部材３１ａは緩やかな傾斜角度に設定し、右側の球誘導部材３１ｂは急な傾斜角度に設定することで、遊技領域の遊技球の流れが左右で異なるように調整することができる。これにより、メイン通路となる左部からの遊技球は始動入賞口７に入賞し易くなり、メイン通路とならない右部からの遊技球は始動入賞口７に入賞し難くできるなど、左右の遊技球の入賞率に変化を付けることができる。
【００１５】
また、球誘導部材３１ａ，３１ｂの取付は、位置決用突起３７を複数の位置決用係合孔４０ａ〜４０ｄのいずれかに係合させることにより傾斜角度αがその設定どおりに決められるようにしたので、専門知識を要することなく何人にも簡単に設定、或いはその変更をすることができる。
【図面の簡単な説明】
【００１６】
【図１】この発明に係るパチンコ遊技機の正面図。
【図２】この発明に係るパチンコ遊技機のセンター枠部材の正面図。
【図３】図２のセンター枠部材の側面図。
【図４】図２のＡ−Ａ線断面矢視図。
【図５】図４のＢ−Ｂ線断面矢視図。
【図６】図２のセンター枠部材の要部の分解斜視図。
【図７】この発明に係るパチンコ遊技機の球誘導部材の他の実施例を示す正面図。
【図８】この発明に係るパチンコ遊技機の球誘導部材の他の実施例を示す正面図。
【符号の説明】
【００１７】
２                遊技盤
５                表示装置
６                センター枠部材
７                始動入賞口
１３ａ，１３ｂ    風車釘
２０              周壁
２１              取付板
３０ａ，３０ｂ    表装板
３１ａ，３１ｂ    球誘導部材
３２              路面
３３ａ，３３ｂ    風車部材
３６              貫通孔
３７              位置決用突起
３８              ビス
４０ａ〜４０ｄ    位置決用係合孔
４１              突堤
【図１】
0004611141.tif 000002
【図２】
0004611141.tif 000003
【図３】
0004611141.tif 000004
【図４】
0004611141.tif 000005
【図５】
0004611141.tif 000006
【図６】
0004611141.tif 000007
【図７】
0004611141.tif 000008
【図８】
0004611141.tif 000009